(57)【要約】【課題】光学部品の角度調節を簡素な構成で実現する。【解決手段】光学部品２６の回転方向における角度を調節するための角度調節機構２０Ａは、筺体２１と、筺体２１の内側に配置された光学部品２６と、筺体２１の内側に配置され、光学部品２６と一体的に回転する第１磁石２５Ｐと、筺体２１の外側に配置された第２磁石２９Ｐとを備える。第１磁石２５Ｐおよび第２磁石２９Ｐは、筺体２１を挟んで互いに磁気結合する。第２磁石２９Ｐが筺体２１の外側で移動することにより、第１磁石２５Ｐは光学部品２６と一体的に回転し、光学部品２６の回転方向における角度が調節される。【選択図】図３
2014186111.tif 000002
【特許請求の範囲】
【請求項１】
光学部品の回転方向における角度を調節するための角度調節機構であって、
筺体と、
前記筺体の内側に配置された前記光学部品と、
前記筺体の内側に配置され、前記光学部品と一体的に回転する第１磁石と、
前記筺体の外側に配置された第２磁石と、を備え、
前記第１磁石および前記第２磁石は、前記筺体を挟んで互いに磁気結合し、
前記第２磁石が前記筺体の外側で移動することにより、前記第１磁石は前記光学部品と一体的に回転し、前記光学部品の前記回転方向における角度が調節される、
角度調節機構。
【請求項２】
環状の形状を有し、前記筺体の外側を取り囲むように配置された環状部材をさらに備え、
前記第２磁石は、前記環状部材に取り付けられ、前記筺体の外側で前記環状部材と一体的に回転し、
前記環状部材は、前記第２磁石が前記筺体の外側で前記回転方向において０°〜３６０°の角度範囲で回転することを可能としている、
請求項１に記載の角度調節機構。
【請求項３】
前記環状部材から外側に向かって突出するように設けられたつまみ部をさらに備え、
前記つまみ部は、前記環状部材に設けられた貫通穴に螺合することにより前記環状部材に取り付けられており、
前記つまみ部が前記貫通穴に差し込まれて前記つまみ部の端部が前記筺体の表面に係止することにより、前記環状部材の前記筺体に対する回転が規制される、
請求項２に記載の角度調節機構。
【請求項４】
前記光学部品は、ウェッジプリズムであり、
前記第１磁石は、前記ウェッジプリズムの外側に配置され、前記ウェッジプリズムのうちの肉厚が最も厚い部分の位置または肉厚が最も薄い部分の位置に対向するように位置しており、
前記第２磁石は、前記つまみ部の位置に対応するように前記環状部材に設けられている、
請求項３に記載の角度調節機構。
【請求項５】
請求項１から４のいずれかに記載の角度調節機構を備えている、
望遠鏡。
【請求項６】
請求項４に記載の角度調節機構を２つ備え、
第１の前記角度調節機構については、前記第１磁石は、前記ウェッジプリズムのうちの肉厚が最もの位置に対向するように位置しており、
第２の前記角度調節機構については、前記第１磁石は、前記ウェッジプリズムのうちの肉厚が最も厚い部分の位置に対向するように位置している、
望遠鏡。
【発明の詳細な説明】
【技術分野】
【０００１】
本発明は、角度調節機構および望遠鏡に関し、特に、光学部品の回転方向における角度を調節するための角度調節機構、およびそのような角度調節機構を備えた望遠鏡に関する。
【背景技術】
【０００２】
従来から、ウェッジプリズムが知られている。ウェッジプリズムを用いることにより、光の色分散を補正することが可能となる。ウェッジプリズムは、たとえば望遠鏡に組み込まれ、惑星を観察したり撮像したりする際に用いられる。観察等の対象となる惑星の高度が低い場合、大気の影響による色分散が顕著に現れる。ウェッジプリズムを用いて大気分散と逆向きの色分散をかけることにより、大気分散による色のにじみを低減することが可能となる。
【０００３】
特開２００９−１３９６９２号公報（特許文献１）に開示されているように、ウェッジプリズムは、レーザービームの光路を変更する際にも用いられる。この公報の中では、２枚のウェッジプリズムが用いられている。これらのウェッジプリズムは回転可能に保持されており、歯車機構を用いてウェッジプリズムを回転させている。
【先行技術文献】
【特許文献】
【０００４】
【特許文献１】特開２００９−１３９６９２号公報
【発明の概要】
【発明が解決しようとする課題】
【０００５】
ウェッジプリズム等の光学部品の回転方向における角度を調節する場合、歯車機構を用いてその光学部品を回転させようとすると、構造全体が複雑になる。複雑な構造は、製造費用の増加を招くこともある。
【０００６】
本発明は、光学部品の回転方向における角度調節を簡素な構造で実現可能な角度調節機構、およびそのような角度調節機構を備えた望遠鏡を提供することを目的とする。
【課題を解決するための手段】
【０００７】
本発明に基づく角度調節機構は、光学部品の回転方向における角度を調節するための角度調節機構であって、筺体と、上記筺体の内側に配置された上記光学部品と、上記筺体の内側に配置され、上記光学部品と一体的に回転する第１磁石と、上記筺体の外側に配置された第２磁石と、を備え、上記第１磁石および上記第２磁石は、上記筺体を挟んで互いに磁気結合し、上記第２磁石が上記筺体の外側で移動することにより、上記第１磁石は上記光学部品と一体的に回転し、上記光学部品の上記回転方向における角度が調節される。
【０００８】
好ましくは、環状の形状を有し、上記筺体の外側を取り囲むように配置された環状部材をさらに備え、上記第２磁石は、上記環状部材に取り付けられ、上記筺体の外側で上記環状部材と一体的に回転し、上記環状部材は、上記第２磁石が上記筺体の外側で上記回転方向において０°〜３６０°の角度範囲で回転することを可能としている。
【０００９】
好ましくは、上記環状部材から外側に向かって突出するように設けられたつまみ部をさらに備え、上記つまみ部は、上記環状部材に設けられた貫通穴に螺合することにより上記環状部材に取り付けられており、上記つまみ部が上記貫通穴に差し込まれて上記つまみ部の端部が上記筺体の表面に係止することにより、上記環状部材の上記筺体に対する回転が規制される。
【００１０】
好ましくは、上記光学部品は、ウェッジプリズムであり、上記第１磁石は、上記ウェッジプリズムの外側に配置され、上記ウェッジプリズムのうちの肉厚が最も厚い部分の位置または肉厚が最も薄い部分の位置に対向するように位置しており、上記第２磁石は、上記つまみ部の位置に対応するように上記環状部材に設けられている。
【００１１】
本発明のある局面に基づく望遠鏡は、本発明に基づく上記の角度調節機構を備えている。
【００１２】
本発明の他の局面に基づく望遠鏡は、本発明に基づく上記の角度調節機構を２つ備え、第１の上記角度調節機構については、上記第１磁石は、上記ウェッジプリズムのうちの肉厚が最もの位置に対向するように位置しており、第２の上記角度調節機構については、上記第１磁石は、上記ウェッジプリズムのうちの肉厚が最も厚い部分の位置に対向するように位置している。
【発明の効果】
【００１３】
本発明によれば、光学部品の回転方向における角度調節を簡素な構造で実現可能な角度調節機構、およびその角度調節機構を備えた望遠鏡を得ることができる。
【図面の簡単な説明】
【００１４】
【図１】実施の形態における望遠鏡を示す側面図である。
【図２】実施の形態における望遠鏡の分解した状態を示す側面図である。
【図３】実施の形態における角度調節機構を示す断面図である。
【図４】実施の形態における角度調節機構の分解した状態を示す断面図である。
【図５】実施の形態における角度調節機構を示す正面図である。
【図６】図３中のＶＩ−ＶＩ線に沿った矢視断面図である。
【図７】実施の形態における角度調節機構の構成の一部の分解した状態を示す斜視図である。
【図８】実施の形態における角度調節機構を用いて光学部品の角度を調節している際の様子を示す正面図である。
【図９】実施の形態における角度調節機構を用いて光学部品の角度をさらに調節している際の様子を示す正面図である。
【図１０】比較例における角度調節機構の分解した状態を示す斜視図である。
【図１１】実施の形態の変形例における角度調節機構を示す断面図である。
【図１２】実施の形態に基づく実験例の計算パラメータを示す図である。
【図１３】実施の形態に基づく実験例の計算パラメータに関する構成を示す図である。
【図１４】実施の形態に基づく実験例の計算パラメータに関する構成を示す他の図である。
【図１５】実施の形態に基づく実験例の実験条件および結果を示す図である。
【発明を実施するための形態】
【００１５】
本発明に基づいた実施の形態について、以下、図面を参照しながら説明する。実施の形態の説明において、個数および量などに言及する場合、特に記載がある場合を除き、本発明の範囲は必ずしもその個数およびその量などに限定されない。実施の形態の説明において、同一の部品および相当部品に対しては、同一の参照番号を付し、重複する説明は繰り返さない場合がある。
【００１６】
図１〜図７を参照して、実施の形態における望遠鏡１００および角度調節機構２０Ａ，２０Ｂについて説明する。図１は、望遠鏡１００を示す側面図である。図２は、望遠鏡１００の分解した状態を示す側面図である。図３は、角度調節機構２０Ａ，２０Ｂを示す断面図である。図４は、角度調節機構２０Ａ（２０Ｂ）の分解した状態を示す断面図である。図５は、角度調節機構２０Ａ（２０Ｂ）を示す正面図である。図６は、図３中のＶＩ−ＶＩ線に沿った矢視断面図である。図７は、角度調節機構２０Ａの構成の一部の分解した状態を示す斜視図である。
【００１７】
（望遠鏡１００）
図１および図２に示すように、望遠鏡１００は、鏡筒１１、延長筒１２、角度調節機構２０Ａ，２０Ｂ、延長筒１３、アイピース１４、および図示しない三脚を備える。鏡筒１１は、円筒形状を有している。鏡筒１１の内部には、図示しない対物レンズ等が設けられる。
【００１８】
延長筒１２は、鏡筒１１と角度調節機構２０Ａとの間に設けられる。延長筒１３は、角度調節機構２０Ｂとアイピース１４との間に設けられる。詳細は後述されるが、角度調節機構２０Ａ，２０Ｂは、回転方向におけるウェッジプリズム２６の取付角度が異なるという点を除いて、互いに略同一の構成を有している。
【００１９】
角度調節機構２０Ａ，２０Ｂは、小径筒部２２Ｎ（図２，図３参照）および嵌込部２３Ｊ（図３参照）を有している。角度調節機構２０Ａの小径筒部２２Ｎは、延長筒１２の内側１２Ｈ（図２参照）に嵌め込まれる。角度調節機構２０Ｂの小径筒部２２Ｎは、角度調節機構２０Ａの嵌込部２３Ｊに嵌め込まれる。延長筒１３は、角度調節機構２０Ｂの嵌込部２３Ｊに嵌め込まれる。アイピース１４は、延長筒１３の内側１３Ｈ（図２参照）に嵌め込まれる。
【００２０】
延長筒１２，１３およびアイピース１４としては、望遠鏡１００の使用条件に応じて、適宜最適なものが選択される。延長筒１２，１３およびアイピース１４は、望遠鏡１００に必須のものでもない。観察対象および撮像対象に応じて、アイピース１４の代わりにＣＣＤカメラなどの市販のカメラが用いられてもよいし、他の器具が望遠鏡１００にさらに用いられてもよい。
【００２１】
（角度調節機構２０Ａ，２０Ｂ）
図３〜図７を参照して、角度調節機構２０Ａ，２０Ｂの詳細構造について説明する。角度調節機構２０Ａ，２０Ｂにより、これらに搭載されたウェッジプリズム２６（光学部品）の回転方向における角度（位相）が調節される。角度調節機構２０Ａ，２０Ｂは、ウェッジプリズムに限られず、レンズ、プリズム、またはミラーなどの光学部品の回転方向における角度（位相）を調節することにも適用できる。すなわち、角度調節機構２０Ａ，２０Ｂは望遠鏡１００以外のものにも適用できるものである。
【００２２】
上述の通り、角度調節機構２０Ａ，２０Ｂは、回転方向におけるウェッジプリズム２６の取付角度が異なるという点を除いて、互いに略同一の構成を有している。以下、主として角度調節機構２０Ａの構造に基づいて説明する。図３および図４に示すように、角度調節機構２０Ａは、筺体２１、内側回転体２４、および外側回転体２８を備える。
【００２３】
（筺体２１）
筺体２１は、ハウジング２２および蓋部材２３を含む。ハウジング２２は、たとえばアルミから作製され、大径筒部２２Ｍ、小径筒部２２Ｎ、および突出部２２Ｔを有する。大径筒部２２Ｍおよび小径筒部２２Ｎは、円筒形状を有している。大径筒部２２Ｍの内側には、中空状の収容部２２Ｋが形成される。後述する内側回転体２４は、収容部２２Ｋ内に差し込まれる（図４中の矢印ＡＲ２５参照）。後述する外側回転体２８は、大径筒部２２Ｍの外側に配置される（図４中の矢印ＡＲ２９、および図３参照）。
【００２４】
小径筒部２２Ｎ（図５参照）の内側には、中空状の開口２２Ｊが形成される。収容部２２Ｋおよび開口２２Ｊは、互いに連通している。角度調節機構２０Ａ，２０Ｂを正面側から見た場合（図５参照）、開口２２Ｊを通してウェッジプリズム２６が露出している。大径筒部２２Ｍおよび小径筒部２２Ｎは、同軸状に配置される。大径筒部２２Ｍの外径は、小径筒部２２Ｎの外径よりも大きい。突出部２２Ｔは、環状の形状を有し（図２，図３参照）、大径筒部２２Ｍと小径筒部２２Ｎとの間に設けられる。突出部２２Ｔは、大径筒部２２Ｍの外表面から径方向の外側に向かって突出する形状を有している。
【００２５】
蓋部材２３は、たとえばアルミから作製され、小径部２３Ｎおよび大径部２３Ｍを含み、全体として環状の形状を有している。収容部２２Ｋ内に内側回転体２４が配置され、外側回転体２８が大径筒部２２Ｍの外側に配置された状態で、蓋部材２３は、収容部２２Ｋを塞ぐようにハウジング２２に取り付けられる（図４中の矢印ＡＲ２３参照）。この状態では、小径部２３Ｎは、ハウジング２２の収容部２２Ｋ内に位置している（図３参照）。小径部２３Ｎの外表面には、ネジ加工が設けられている。蓋部材２３の小径部２３Ｎの外表面は、ハウジング２２に螺合する。
【００２６】
大径部２３Ｍは、小径部２３Ｎの外表面から径方向の外側に向かって突出する形状を有している。小径部２３Ｎおよび大径部２３Ｍの内側には、中空状の嵌込部２３Ｊが形成される。上述の通り、角度調節機構２０Ｂの小径筒部２２Ｎは、角度調節機構２０Ａの嵌込部２３Ｊに嵌め込まれる（図３参照）。延長筒１３（図３参照）は、角度調節機構２０Ｂの嵌込部２３Ｊに嵌め込まれる（図３参照）。
【００２７】
（内側回転体２４）
内側回転体２４は、セル部材２５、ウェッジプリズム２６、押え具２７、磁石２５Ｐ，２５Ｒおよびネジ２５Ｑ，２５Ｓを含む。セル部材２５は、たとえばアルミまたは樹脂から作製され、全体として筒状の形状を有している。セル部材２５の外側には、凹部２５Ｅ，２５Ｇが設けられる。凹部２５Ｅ，２５Ｇは、セル部材２５の外表面から径方向の内側に向かって凹む形状を有している。凹部２５Ｅ，２５Ｇは、内側回転体２４の回転軸に対して互いに点対称となる位置に配置されている。
【００２８】
セル部材２５には、開口２５Ｆ，２５Ｈも設けられる。開口２５Ｆ，２５Ｈは、セル部材２５の一部がくり貫かれることにより形成され、内側回転体２４の回転軸に対して平行な方向に延びる形状を有している。開口２５Ｆは、凹部２５Ｅに連通しており、開口２５Ｈは、凹部２５Ｇに連通している。磁石２５Ｐ，２５Ｒは、ネオジム磁石等からなり、凹部２５Ｅ，２５Ｇにそれぞれ対応する形状を有している。ネジ２５Ｑ，２５Ｓは、開口２５Ｆ，２５Ｈにそれぞれ対応する形状を有している。
【００２９】
磁石２５Ｐは、矢印ＡＲ２５Ｐに示すように凹部２５Ｅの中に嵌め込まれる。ネジ２５Ｑは、矢印ＡＲ２５Ｑに示すように開口２５Ｆの中に嵌め込まれ、開口２５Ｆを形成している内壁に螺合する。当該螺合によって、磁石２５Ｐはネジ２５Ｑに押えられ、磁石２５Ｐは凹部２５Ｅ内で固定される（図３，図６参照）。
【００３０】
同様に、磁石２５Ｒは、矢印ＡＲ２５Ｒに示すように凹部２５Ｇの中に嵌め込まれる。ネジ２５Ｓは、矢印ＡＲ２５Ｓに示すように開口２５Ｈの中に嵌め込まれ、開口２５Ｈを形成している内壁に螺合する。当該螺合によって、磁石２５Ｒはネジ２５Ｓに押えられ、磁石２５Ｒは凹部２５Ｇ内で固定される（図３，図６参照）。本実施の形態においては、磁石２５Ｐ，２５Ｒの双方がウェッジプリズム２６から見て径方向の外側に配置されており、磁石２５Ｐ，２５Ｒのいずれかまたは双方が、第１磁石として機能することができる。
【００３１】
セル部材２５の内側には、環状の突出部２５Ｎ（図３参照）が設けられる。突出部２５Ｎは、セル部材２５の内表面から径方向の内側に向かって突出する形状を有している。突出部２５Ｎの内側には、中空状の開口２５Ｊが形成される。セル部材２５のうちの突出部２５Ｎが設けられていない部分の内側には、中空状の収容部２５Ｋが形成される。
【００３２】
図４および図７に示すように、ウェッジプリズム２６は、平坦面２６Ｊおよび傾斜面２６Ｋを有している。ウェッジプリズム２６の材質は、たとえばＢＫ７等の硝子材である。傾斜面２６Ｋの平坦面２６Ｊに対してなす角度θｗ（図４参照）は、たとえば１°〜３°である。図４および図７中の矢印ＡＲ２６に示すように、ウェッジプリズム２６は、セル部材２５の収容部２５Ｋ内に嵌め込まれる。ウェッジプリズム２６の平坦面２６Ｊは、セル部材２５の突出部２５Ｎに当接する。
【００３３】
ウェッジプリズム２６が収容部２５Ｋ内に配置された状態では、ウェッジプリズム２６のうちの肉厚が最も厚い部分２６Ｃが磁石２５Ｐに対向するように位置し、ウェッジプリズム２６のうちの肉厚が最も薄い部分２６Ｄが磁石２５Ｒに対向するように位置している。角度調節機構２０Ａ，２０Ｂを正面側から見た場合（図５参照）、セル部材２５の開口２５Ｊ（図４参照）を通して、ウェッジプリズム２６の平坦面２６Ｊが露出する。
【００３４】
押え具２７は、円環状の形状を有する。押え具２７の内側には、開口２７Ｊが形成される。押え具２７の外表面には、ネジ加工が設けられている。ウェッジプリズム２６がセル部材２５の収容部２５Ｋ内に配置された後、押え具２７はセル部材２５に取り付けられる（矢印ＡＲ２７参照）。押え具２７の外表面は、セル部材２５の内周壁に螺合する。当該螺合によって、ウェッジプリズム２６は押え具２７に押えられ、ウェッジプリズム２６はセル部材２５の収容部２５Ｋ内で固定される。
【００３５】
セル部材２５、ウェッジプリズム２６、押え具２７、磁石２５Ｐ，２５Ｒおよびネジ２５Ｓ，２５Ｑは、一体化された状態で、内側回転体２４としてハウジング２２の収容部２２Ｋ内に差し込まれる。セル部材２５の外径は、ハウジング２２の大径筒部２２Ｍの内径よりもわずかに小さい（図６参照）。内側回転体２４は、収容部２２Ｋの内側でハウジング２２に対して回転することができる。内側回転体２４が回転するとき、磁石２５Ｐ，２５Ｒはウェッジプリズム２６と一体的に回転する。セル部材２５の外表面と大径筒部２２Ｍの内表面との間には、潤滑剤などが塗布されていてもよい。
【００３６】
（外側回転体２８）
外側回転体２８は、ローレットリング２９（環状部材）、磁石２９Ｐ，２９Ｒ、ネジ２９Ｑ，２９Ｓ、およびローレットネジ２９Ｙ（つまみ部）を含む。ローレットリング２９は、全体として筒状の形状を有している（図２も参照）。ローレットリング２９の外側には、凹部２９Ｅ，２９Ｇおよび貫通穴２９Ｗが設けられる。凹部２９Ｅ，２９Ｇは、ローレットリング２９の外表面から径方向の内側に向かって凹む形状を有している。凹部２９Ｅ，２９Ｇは、外側回転体２８の回転軸に対して互いに点対称となる位置に配置されている。
【００３７】
ローレットリング２９には、開口２９Ｆ，２９Ｈも設けられる。開口２９Ｆ，２９Ｈは、ローレットリング２９の一部がくり貫かれることにより形成され、外側回転体２８の回転軸に対して平行な方向に延びる形状を有している（図５参照）。開口２９Ｆは、凹部２９Ｅに連通しており、開口２９Ｈは、凹部２９Ｇに連通している。磁石２９Ｐ，２９Ｒは、ネオジム磁石等からなり、凹部２９Ｅ，２９Ｇにそれぞれ対応する形状を有している。ネジ２９Ｑ，２９Ｓは、開口２９Ｆ，２９Ｈにそれぞれ対応する形状を有している。
【００３８】
磁石２９Ｐは、矢印ＡＲ２９Ｐに示すように凹部２９Ｅの中に嵌め込まれる。ネジ２９Ｑは、矢印ＡＲ２９Ｑに示すように開口２９Ｆの中に嵌め込まれ、開口２９Ｆを形成している内壁に螺合する。当該螺合によって、磁石２９Ｐはネジ２９Ｑに押えられ、磁石２９Ｐは凹部２９Ｅ内で固定される（図３，図６参照）。
【００３９】
同様に、磁石２９Ｒは、矢印ＡＲ２９Ｒに示すように凹部２９Ｇの中に嵌め込まれる。ネジ２９Ｓは、矢印ＡＲ２９Ｓに示すように開口２９Ｈの中に嵌め込まれ、開口２９Ｈを形成している内壁に螺合する。当該螺合によって、磁石２９Ｒはネジ２９Ｓに押えられ、磁石２９Ｒは凹部２９Ｇ内で固定される（図３，図６参照）。本実施の形態においては、磁石２９Ｐ，２９Ｒのいずれかまたは双方が、第２磁石として機能することができる。
【００４０】
貫通穴２９Ｗは、ローレットリング２９の外表面から径方向の内側に向かってローレットリング２９を貫通する形状を有し、その内表面にはネジ加工が設けられている。ローレットネジ２９Ｙは、貫通穴２９Ｗに螺合する。当該螺合によって、ローレットネジ２９Ｙはローレットリング２９に取り付けられる。ローレットネジ２９Ｙがローレットリング２９に取り付けられた状態では、ローレットネジ２９Ｙはローレットリング２９から外側に向かって突出する。
【００４１】
ローレットリング２９の内側には、中空状の開口２９Ｊが形成される。ローレットリング２９、磁石２９Ｐ，２９Ｒ、ネジ２９Ｓ，２９Ｑ、およびローレットネジ２９Ｙは、一体化された状態で、外側回転体２８としてハウジング２２の大径筒部２２Ｍの外側を取り囲むように配置される（図４中の矢印ＡＲ２９参照）。ローレットリング２９の内径は、ハウジング２２の大径筒部２２Ｍの外径よりもわずかに大きい（図６参照）。外側回転体２８は、大径筒部２２Ｍの外側でハウジング２２に対して回転することができる。外側回転体２８が回転するとき、ローレットリング２９は筺体２１（大径筒部２２Ｍ）の外側で磁石２９Ｐ，２９Ｒと一体的に回転する。
【００４２】
上述のとおり、収容部２２Ｋ内に内側回転体２４が配置され、外側回転体２８が大径筒部２２Ｍの外側に配置された状態で、蓋部材２３は、収容部２２Ｋを塞ぐようにハウジング２２に取り付けられる（図４中の矢印ＡＲ２３参照）。内側回転体２４は、ハウジング２２と蓋部材２３（小径部２３Ｎ）との間で位置決めされる。外側回転体２８は、ハウジング２２の突出部２２Ｔと蓋部材２３の大径部２３Ｍとの間で位置決めされる。
【００４３】
この状態では、ウェッジプリズム２６および磁石２５Ｐ，２５Ｒは筺体２１（ハウジング２２の大径筒部２２Ｍ）の内側に配置され、磁石２９Ｐ，２９Ｒは筺体２１（ハウジング２２の大径筒部２２Ｍ）の外側に配置される。磁石２５Ｐは、大径筒部２２Ｍを挟んで磁石２９Ｐに磁気結合しており、磁石２５Ｒは、大径筒部２２Ｍを挟んで磁石２９Ｒに磁気結合している。
【００４４】
図３を再び参照して、上述の通り、角度調節機構２０Ａ，２０Ｂは、回転方向におけるウェッジプリズム２６の取付角度を除いて、互いに略同一の構成を有している。具体的には、角度調節機構２０Ａについては、磁石２９Ｐ（第２磁石）がローレットネジ２９Ｙの位置に対応するように位置しており、ウェッジプリズム２６のうちの肉厚が最も厚い部分２６Ｃに対向する磁石２５Ｐ（第１磁石）と磁石２９Ｐ（第２磁石）とが互いに磁気結合している。したがって角度調節機構２０Ａについては、ローレットネジ２９Ｙは、ウェッジプリズム２６のうちの肉厚が最も厚い部分２６Ｃの位置に対応している。
【００４５】
一方で、角度調節機構２０Ｂについては、磁石２９Ｐ（第２磁石）がローレットネジ２９Ｙの位置に対応するように位置しており、ウェッジプリズム２６のうちの肉厚が最も薄い部分２６Ｄに対向する磁石２５Ｐ（第１磁石）と磁石２９Ｐ（第２磁石）とが互いに磁気結合している。したがって角度調節機構２０Ｂについては、ローレットネジ２９Ｙは、ウェッジプリズム２６のうちの肉厚が最も薄い部分２６Ｄの位置に対応している。
【００４６】
これらの構成に限られず、角度調節機構２０Ａ，２０Ｂの双方が、図３中に示す角度調節機構２０Ａと同一の構成を有していてもよい。換言すると、角度調節機構２０Ａ，２０Ｂの双方について、ローレットネジ２９Ｙの位置は、ウェッジプリズム２６のうちの肉厚が最も厚い部分２６Ｃの位置に対応していてもよい。角度調節機構２０Ａ，２０Ｂの双方が、図３中に示す角度調節機構２０Ｂと同一の構成を有していてもよい。換言すると、角度調節機構２０Ａ，２０Ｂの双方について、ローレットネジ２９Ｙの位置は、ウェッジプリズム２６のうちの肉厚が最も薄い部分２６Ｄの位置に対応していてもよい。
【００４７】
図８および図９を参照して、望遠鏡１００（角度調節機構２０Ａ，２０Ｂ）の使用者は、ローレットネジ２９Ｙをつまんで外側回転体２８（ローレットリング２９）をハウジング２２に対して容易に回転させることができる。磁石２９Ｐ，２９Ｒがハウジング２２の外側で移動することにより、磁石２５Ｐ，２５Ｒはウェッジプリズム２６と一体的に回転し、ウェッジプリズム２６の回転方向における角度が調節される。
【００４８】
図８は、角度調節機構２０Ａのウェッジプリズム２６に対して、角度調節機構２０Ｂのウェッジプリズム２６が９０°回転した様子を示している。図９は、角度調節機構２０Ａのウェッジプリズム２６に対して、角度調節機構２０Ｂのウェッジプリズム２６が１８０°回転した様子を示している。図９に示す状態では、ウェッジプリズムによる光の色分散の補正の度合いは、最も高い状態となる。
【００４９】
本実施の形態の望遠鏡１００においては、角度調節機構２０Ａのローレットネジ２９Ｙは、ウェッジプリズム２６のうちの肉厚が最も厚い部分２６Ｃの位置に対応している。角度調節機構２０Ｂのローレットネジ２９Ｙは、ウェッジプリズム２６のうちの肉厚が最も薄い部分２６Ｄの位置に対応している。
【００５０】
したがって、角度調節機構２０Ａのローレットネジ２９Ｙと角度調節機構２０Ｂのローレットネジ２９Ｙとが同一の角度位置に配置されている状態では、ウェッジプリズムによる光の色分散の補正の度合いは、最も弱い状態（実質的にゼロの状態）となる。本実施の形態においては、望遠鏡１００の使用時に、補正が０°となる（ウェッジプリズム２６による補正の効果がゼロとなる）ローレットネジ２９Ｙの方向（位置）を使用者は容易に認識することが可能となっている。
【００５１】
角度調節機構２０Ａ，２０Ｂのウェッジプリズム２６が所定の角度にそれぞれ調節された後、ローレットネジ２９Ｙは螺合によって貫通穴２９Ｗ内にさらに差し込まれる。ローレットネジ２９Ｙの下端部が筺体２１の表面（ハウジング２２の大径筒部２２Ｍの表面）に係止することにより、ローレットリング２９の筺体２１に対する回転が規制される。当該規制によって、望遠鏡１００の姿勢を変えたり望遠鏡１００を移動したりしたとしても、ウェッジプリズム２６が不用意に回転することはほとんどない。
【００５２】
角度調節機構２０Ａ，２０Ｂにおいては、ローレットネジ２９Ｙの回転を妨げる部材は存在しておらず、外側回転体２８のローレットリング２９は、磁石２９Ｐ，２９Ｒがハウジング２２の外側で０°〜３６０°の角度範囲で回転することを可能としている。当該構成により、ウェッジプリズム２６は０°〜３６０°の角度範囲で回転することが可能となっている。
【００５３】
図１０は、比較例における角度調節機構２０Ｚを示す斜視図である。角度調節機構２０Ｚにおいては、ウェッジプリズム２６Ｚが環状部材２５Ｚに取り付けられており、環状部材２５Ｚには、つまみ部２９Ｚが設けられている。ウェッジプリズム２６Ｚは、筒体５０に設けられた切欠５２を通して、筒体５０と同軸状に配置される（矢印ＡＲ１参照）。角度調節機構２０Ｚにおいては、ウェッジプリズム２６Ｚはつまみ部２９Ｚと一体化されている。
【００５４】
角度調節機構２０Ｚにおいては、つまみ部２９Ｚを矢印ＡＲ２方向に移動した際につまみ部２９Ｚが切欠５２の端部５２Ｔに接触してしまうため、つまみ部２９Ｚの回動範囲は制限されている。ウェッジプリズム２６Ｚは０°〜３６０°の角度範囲で回転することができず、角度調節機構２０Ｚは角度調節機構２０Ａ，２０Ｂに比べて利便性が低いものとなっている。
【００５５】
角度調節機構２０Ａ，２０Ｂにおいては、いわゆるマグネットカップリングを利用してウェッジプリズム２６が回転される。角度調節機構２０Ａ，２０Ｂは、歯車機構を用いてウェッジプリズム２６を回転させる場合に比べて非常に簡素な構成によって実現されており、操作性も高いものとなっている。ウェッジプリズム２６は、３６０°回転が可能であり、角度調節機構２０Ａ，２０Ｂのウェッジプリズム２６を用いることにより、色分散方向および補正量の双方を効果的に調節することが可能となっている。
【００５６】
図１１を参照して、上述の実施の形態では、角度調節機構２０Ａのローレットネジ２９Ｙは、ウェッジプリズム２６のうちの肉厚が最も厚い部分２６Ｃに対応する位置に配置されており、角度調節機構２０Ｂのローレットネジ２９Ｙは、ウェッジプリズム２６のうちの肉厚が最も薄い部分２６Ｄに対応する位置に配置されている。
【００５７】
図１１に示す角度調節機構２０Ｃのように、ローレットネジ２９Ｙは、ウェッジプリズム２６のうちの肉厚が最も厚い部分２６Ｃおよび薄い部分２６Ｄのいずれにも対応しないように配置されていてもよい。角度調節機構２０Ｃにおいては、磁石２５Ｐ，２９Ｐ同士が磁気結合している位置および磁石２５Ｒ，２９Ｒ同士が磁気結合している位置から見て、ローレットネジ２９Ｙは９０°ずれた位置に配置されている。当該構成によっても、角度調節機構２０Ｃは、歯車機構を用いてウェッジプリズム２６を回転させる場合に比べて非常に簡素な構成によって実現されることができる。
【００５８】
望遠鏡１００としては、角度調節機構２０Ａ，２０Ｂの双方を備えている場合に限られず、角度調節機構２０Ａのみを備えていてもよいし、角度調節機構２０Ｂのみを備えていてもよいし、角度調節機構２０Ｃのみを備えていてもよいし、これらの中の２つまたは３つの組み合わせを備えていてもよい。いずれの構成も、歯車機構を用いてウェッジプリズム２６を回転させる場合に比べて非常に簡素な構成によって実現されることができる。
【００５９】
（実験例）
図１２〜図１５を参照して、上述の実施の形態における望遠鏡１００に基づいて実験したシミュレーション結果について説明する。図１２に示すように、計算パラメータとしては、赤色（Ｒ）の光の波長を６６０ｎｍとし、緑色（Ｇ）の光の波長を５５０ｎｍとし、青色（Ｂ）の光の波長を４４０ｎｍとした。ウェッジプリズムに用いた硝子材は、ＢＫ７を材料とし、５４６．１ｎｍの光に対する屈折率は１．５１８７２であるものとした。観察対象となる惑星の視直径は、４０”（秒角）とした。
【００６０】
図１２および図１３を参照して、望遠鏡に用いたレンズの焦点距離（図１３中におけるＦＬ）は、５０００ｍｍとした。ウェッジプリズムの撮像素子面からの位置（図１３中におけるＷＬ）は、惑星の高度が３０度の時は４７ｍｍとし、惑星の高度が６０度の時は３１ｍｍとした。図１３中における点Ｐ１は、撮像素子面の位置を示している。点Ｐ２は、観察位置を示している。ウェッジプリズム２６の屈折作用により点Ｐ１および点Ｐ２の位置は僅かにずれるが、ここではそのずれの影響については考慮しないものとした。
【００６１】
図１４を参照して、一般的に、観察対象となる惑星の高度が６０〜９０度のときは、ウェッジプリズムによる補正は〜１°（０°より大きく１°以下）のものが必要とされている。観察対象となる惑星の高度が９０度のときは、理論上は、ウェッジプリズムによる補正は不要とされている。観察対象となる惑星の高度が３０〜６０度のときは、ウェッジプリズムによる補正は〜２°（１°より大きく２°以下）のものが必要とされている。観察対象となる惑星の高度が０〜３０度のときは、ウェッジプリズムによる補正は〜３°（２°より大きく３°以下）のものが必要とされている。ただし、観察対象となる惑星の高度が０〜３０度のときは、その惑星は地平線の付近に位置しており、大気の揺らぎ（シーイングともいう）による影響が大きく一般的には観察には向いていないとされている。
【００６２】
図１５を参照して、以上のような観察条件の下、観察像に現れる波長別の差（”秒）を計算した。観察対象の高度が３０°の時、ウェッジプリズムを用いない場合はＧ−Ｒの波長域に現れる差は０．５９秒であり、Ｂ−Ｇの波長域に現れる差は１．０９秒であった。一方で、角度調節機構２０Ａ，２０Ｂを用いて２枚のウェッジプリズムの頂角が１°となるように設定した後は、Ｇ−Ｒの波長域に現れる差は０．２９７秒であり、Ｂ−Ｇの波長域に現れる差は０．５７０秒であった。角度調節機構２０Ａ，２０Ｂを用いて２枚のウェッジプリズムの頂角が２°となるように設定した後は、Ｇ−Ｒの波長域に現れる差は０．００４秒であり、Ｂ−Ｇの波長域に現れる差は０．０４５秒であった。観察対象の高度が３０°の時は、角度調節機構２０Ａ，２０Ｂを用いて２枚のウェッジプリズムの頂角が２°となるように設定することで、大気の影響による色分散をかなり低減できることがわかる。
【００６３】
観察対象の高度が６０°の時、ウェッジプリズムを用いない場合はＧ−Ｒの波長域に現れる差は０．２０秒であり、Ｂ−Ｇの波長域に現れる差は０．６９秒であった。一方で、角度調節機構２０Ａ，２０Ｂを用いて２枚のウェッジプリズムの頂角が１°となるように設定した後は、Ｇ−Ｒの波長域に現れる差は０．００３秒であり、Ｂ−Ｇの波長域に現れる差は０．０１９秒であった。角度調節機構２０Ａ，２０Ｂを用いて２枚のウェッジプリズムの頂角が２°となるように設定した後は、Ｇ−Ｒの波長域に現れる差は−０．１９０秒であり、Ｂ−Ｇの波長域に現れる差は−０．３２８秒であった。観察対象の高度が６０°の時は、角度調節機構２０Ａ，２０Ｂを用いて２枚のウェッジプリズムの頂角が１°となるように設定することで、大気の影響による色分散をかなり低減できることがわかる。
【００６４】
以上説明した実験例の結果からも、本実施の形態の望遠鏡１００によれば、角度調節機構２０Ａ，２０Ｂを用いてウェッジプリズム２６の角度を最適化することによって、大気分散による色のにじみを十分に低減可能であることがわかる。
【００６５】
以上、本発明に基づいた実施の形態および実験例について説明したが、今回開示された実施の形態および実験例はすべての点で例示であって制限的なものではない。本発明の技術的範囲は実用新案登録請求の範囲によって示され、実用新案登録請求の範囲と均等の意味および範囲内でのすべての変更が含まれることが意図される。
【符号の説明】
【００６６】
１１  鏡筒、１２，１３  延長筒、１２Ｈ，１３Ｈ  内側、１４  アイピース、２０Ａ，２０Ｂ，２０Ｃ，２０Ｚ  角度調節機構、２１  筺体、２２  ハウジング、２２Ｊ，２５Ｆ，２５Ｈ，２５Ｊ，２７Ｊ，２９Ｆ，２９Ｈ，２９Ｊ  開口、２２Ｋ，２５Ｋ  収容部、２２Ｍ  大径筒部、２２Ｎ  小径筒部、２２Ｔ，２５Ｎ  突出部、２３  蓋部材、２３Ｊ  嵌込部、２３Ｍ  大径部、２３Ｎ  小径部、２４  内側回転体、２５  セル部材、２５Ｅ，２５Ｇ，２９Ｅ，２９Ｇ  凹部、２５Ｐ，２５Ｒ  磁石（第１磁石）、２５Ｑ，２５Ｓ，２９Ｑ，２９Ｓ  ネジ、２５Ｚ  環状部材、２６，２６Ｚ  ウェッジプリズム（光学部品）、２６Ｃ  最も厚い部分、２６Ｄ  最も薄い部分、２６Ｊ  平坦面、２６Ｋ  傾斜面、２７  押え具、２８  外側回転体、２９  ローレットリング（環状部材）、２９Ｐ，２９Ｒ  磁石（第２磁石）、２９Ｗ  貫通穴、２９Ｙ  ローレットネジ（つまみ部）、２９Ｚ  つまみ部、５０  筒体、５２  切欠、５２Ｔ  端部、１００  望遠鏡、ＡＲ１，ＡＲ２３，ＡＲ２５，ＡＲ２５Ｐ，ＡＲ２５Ｑ，ＡＲ２５Ｒ，ＡＲ２５Ｓ，ＡＲ２６，ＡＲ２７，ＡＲ２９，ＡＲ２９Ｐ，ＡＲ２９Ｑ，ＡＲ２９Ｒ，ＡＲ２９Ｓ  矢印、Ｐ１  点（撮像素子面）、Ｐ２  点（観察位置）。
【図１】
2014186111.tif 000003
【図２】
2014186111.tif 000004
【図３】
2014186111.tif 000005
【図４】
2014186111.tif 000006
【図５】
2014186111.tif 000007
【図６】
2014186111.tif 000008
【図７】
2014186111.tif 000009
【図８】
2014186111.tif 000010
【図９】
2014186111.tif 000011
【図１０】
2014186111.tif 000012
【図１１】
2014186111.tif 000013
【図１２】
2014186111.tif 000014
【図１３】
2014186111.tif 000015
【図１４】
2014186111.tif 000016
【図１５】
2014186111.tif 000017